(57)【要約】【課題】よりコンパクトに折り畳むことができる折り畳み式広告体を提供する。【解決手段】折り畳み式広告体１０は、４つ折り可能な前面パネル２０と、前面パネル２０の裏側に設けられ、前面パネル２０の折り位置と同じ位置で４つ折り可能であり、前面パネル２０を支持する支持部３０などとを備える。支持部３０は、前面パネル２０に固定された本体部３１と、本体部３１の両脇に配置され、本体部３１に対して略垂直に折り畳み可能な側面部３２とを備える。前面パネル２０は、４つのシート２１〜２４が接合されたものである。【選択図】図４
0003139622.tif 000002
【実用新案登録請求の範囲】
【請求項１】
４つ折り可能な前面パネルと、
前記前面パネルの裏側に設けられ、前記前面パネルの折り位置と同じ位置で４つ折り可能であり、前記前面パネルを支持する支持部と、
を備える折り畳み式広告体。
【請求項２】
請求項１に記載の折り畳み式広告体において、
前記支持部は、
前記前面パネルに固定された本体部と、
前記本体部の両脇に配置され、前記本体部に対して略垂直に折り畳み可能な側面部とを備えること、
を特徴とする折り畳み式広告体。
【請求項３】
請求項１又は請求項２に記載の折り畳み式広告体において、
前記前面パネル及び／又は前記支持部は、複数のシートが接合されたものであること、
を特徴とする折り畳み式広告体。
【考案の詳細な説明】
【技術分野】
【０００１】
本考案は、折り畳み可能な折り畳み式広告体に関するものである。
【背景技術】
【０００２】
特許文献１は、支持体に脚部が無くとも十分な安定性を有する広告用表示装置を開示している。
しかし、特許文献１の装置は、本体パネルに設けられた折り線によって、全体を３つ折りにすることができるが、よりコンパクトに折り畳むことができるものが望まれていた。
【特許文献１】実用新案登録第３０８９１５７号公報
【考案の開示】
【考案が解決しようとする課題】
【０００３】
本考案の課題は、よりコンパクトに折り畳むことができる折り畳み式広告体を提供することである。
【課題を解決するための手段】
【０００４】
本考案は、以下のような解決手段により、前記課題を解決する。なお、理解を容易にするために、本考案の実施形態に対応する符号を付して説明するが、これに限定されるものではない。
請求項１の考案は、４つ折り可能な前面パネル（２０）と、前記前面パネル（２０）の裏側に設けられ、前記前面パネル（２０）の折り位置と同じ位置で４つ折り可能であり、前記前面パネル（２０）を支持する支持部（３０）と、を備える折り畳み式広告体（１０）である。
請求項２の考案は、請求項１に記載の折り畳み式広告体（１０）において、前記支持部（３０）は、前記前面パネル（２０）に固定された本体部（３１）と、前記本体部（３１）の両脇に配置され、前記本体部（３１）に対して略垂直に折り畳み可能な側面部（３２）とを備えること、を特徴とする折り畳み式広告体（１０）である。
請求項３の考案は、請求項１又は請求項２に記載の折り畳み式広告体（１０）において、前記前面パネル（２０）及び／又は前記支持部（３０）は、複数のシート（２１〜２４）が接合されたものであること、を特徴とする折り畳み式広告体（１０）である。
【考案の効果】
【０００５】
本考案によれば、以下のような効果がある。
（１）４つ折り可能な前面パネルと、前面パネルの折り位置と同じ位置で４つ折り可能な支持部とを備えるので、全体を４つ折りにすることができ、３つ折りタイプのものよりも、よりコンパクトに折り畳むことができる。
（２）支持部は、前面パネルに固定された本体部と、本体部に対して略垂直に折り畳み可能な側面部とを備えるので、この折り畳み式広告体を店頭などに設置した場合には、本体部の両脇に配置された側面部が前面パネルを安定して支えるようになり、自立状態を安定させることができる。
（３）前面パネルや支持部は、複数のシートが接合されたものであるので、大きな前面パネルや支持部を用意しなくても、所望の大きさの前面パネルや支持部を簡単に形成することができる。
【考案を実施するための最良の形態】
【０００６】
以下、図面等を参照して、本考案の実施形態について、さらに詳しく説明する。
（実施形態）
図１は、本考案による折り畳み式広告体の実施形態を示す図である。なお、図中の矢印Ｘ方向を左右方向とし、矢印Ｙ方向を上下方向とする。
折り畳み式広告体１０は、店頭などに設置する折り畳み式の広告体であり、前面パネル２０と、支持部３０とを備え、前面パネル２０及び支持部３０は、板状の紙（厚紙やダンボールなど）により形成されている。また、折り畳み式広告体１０は、上下方向に自立するものである。
【０００７】
前面パネル２０は、表面（図中では奥側）に広告の文字や絵柄などが表示され、３つの折り線ａ１〜ａ３によって、４つ折り可能なパネルである。
また、前面パネル２０は、４つのシート２１〜２４が、粘着テープなどによって接合されたものである。
【０００８】
支持部３０は、前面パネル２０の裏側（図中では手前側）に設けられ、３つの折り線（溝切り）ｂ１〜ｂ３によって、前面パネル２０の折り位置と同じ位置で４つ折り可能であり、組み立て状態では前面パネル２０を支持する部分である。
【０００９】
また、支持部３０は、本体部３１と、側面部３２と、フラップ部３３とを備える。
本体部３１は、前面パネル２０に接着剤や両面テープなどで固定された部分である。
側面部３２は、本体部３１の両脇に配置され、上下方向に沿って設けられた２つの折り線ｃ１，ｃ２によって、本体部３１に対して略垂直に折り畳み可能な部分である。
また、側面部３２の下端部は、前面パネル２０の下端部よりも、外側に向かうにつれて上方へ若干傾斜している。この傾斜により、組み立て状態では、前面パネル２０を後方側に傾斜させて立たせることができる。
フラップ部３３は、その上辺と円弧状の側辺と下辺の端部の一部とに切り込みを有し（図中、実線部分）、上辺には、このフラップ部３３が立ち上げられた状態で側面部３２と係合する凹部３４が設けられている。
【００１０】
３つの折り線ａ１〜ａ３は、折り畳みを容易にするために、各折り線を構成する２線間の寸法をａ１＜ａ２＜ａ３とすることが好ましい。なお、３つの折り線ｂ１〜ｂ３も、同様に、ｂ１＜ｂ２＜ｂ３とすることが好ましい。
【００１１】
図２は、折り畳み式広告体１０の製造方法を説明する図である。
まず、図２（Ａ）に示すように、４つのシート２１〜２４を粘着テープなどによって接合し、前面パネル２０を形成する。
ついで、図２（Ｂ）に示すように、必要に応じて、４つのシート２１〜２４の接合部分に矩形状の補強材４０を貼り付ける。
最後に、図２（Ｃ）に示すように、前面パネル２０の上に支持部３０をのせて、前面パネル２０と本体部３１とを接着剤や両面テープなどで接着する。
【００１２】
図３は、折り畳み式広告体１０の収納方法を説明する図である。
まず、図３（Ａ）に示すように、展開状態の折り畳み式広告体１０を用意する。
ついで、図３（Ｂ）に示すように、矢印Ａの方向に前面パネル２０のシート２１を折り返す。
さらに、図３（Ｃ）に示すように、矢印Ｂの方向に前面パネル２０のシート２２を折り返す。
最後に、図３（Ｄ）に示すように、矢印Ｃの方向に前面パネル２０のシート２３を折り返す。
これとは逆に、折り畳み式広告体１０を展開する場合には、図３（Ｄ）から図３（Ａ）の順に、各シートを開いていけばよい。
【００１３】
図４は、折り畳み式広告体１０の組み立て方法を説明する図である。
まず、図４（Ａ）に示すように、矢印Ｄの方向にフラップ部３３を立ち上げる。
ついで、図４（Ｂ）に示すように、矢印Ｅの方向に側面部３２を折り返す。
このとき、支持部３０は、３つ折りにされてコの字状となり、フラップ部３３の凹部３４と、側面部３２の一部とが係合し、側面部３２がしっかりと固定される。
そして、折り畳み式広告体１０を立たせると、図４（Ｃ）に示すような状態となり、折り畳み式広告体１０を正面から見ると、図４（Ｄ）に示すような状態となり、前面パネル２０の表面が見えるようになる。
【００１４】
このように、本実施形態によれば、以下のような効果がある。
（１）４つ折り可能な前面パネル２０と、前面パネル２０の折り位置と同じ位置で４つ折り可能な支持部３０とを備えるので、全体を４つ折りにすることができ、３つ折りタイプのものよりも、よりコンパクトに折り畳むことができる。
（２）支持部３０は、前面パネル２０に固定された本体部３１と、本体部３１に対して略垂直に折り畳み可能な側面部３２とを備えるので、この折り畳み式広告体１０を店頭などに設置した場合には、本体部３１の両脇に配置された側面部３２が前面パネル２０を安定して支えるようになり、自立状態を安定させることができる。
（３）前面パネル２０は、４つのシート２１〜２４が接合されたものであるので、大きな前面パネル２０を用意しなくても、所望の大きさの前面パネル２０を簡単に形成することができる。
【００１５】
（変形形態）
以上説明した実施形態に限定されることなく、種々の変形や変更が可能であって、それらも本考案の範囲内である。
（１）支持部３０は、本体部３１と側面部３２とで構成する例で説明したが、支持部は、本体部３１を設けずに、側面部３２だけで構成するようにしてもよい。また、本体部をＶ字状に折り曲げて支持部を形成してもよい。
（２）前面パネル２０は、４つのシート２１〜２４を接合して形成する例で説明したが、１つのシートや２つのシートで形成するようにしてもよい。また、支持部３０は、複数のシートを接合して形成するようにしてもよい。
（３）折り畳み式広告体１０は、紙で形成する例で説明したが、ＰＥＴやＰＰなどの樹脂材で形成してもよい。
なお、上述した実施形態及び変形形態は、適宜組み合わせて用いることもできるが、詳細な説明は省略する。また、本考案は、以上説明した実施形態や変形形態によって限定されることはない。
【図面の簡単な説明】
【００１６】
【図１】本考案による折り畳み式広告体の実施形態を示す図である。
【図２】折り畳み式広告体１０の製造方法を説明する図である。
【図３】折り畳み式広告体１０の収納方法を説明する図である。
【図４】折り畳み式広告体１０の組み立て方法を説明する図である。
【符号の説明】
【００１７】
１０  折り畳み式広告体
２０  前面パネル
２１〜２４  シート
３０  支持部
３１  本体部
３２  側面部
３３  フラップ部
３４  凹部
ａ１〜ａ３，ｂ１〜ｂ３，ｃ１，ｃ２  折り線
【図１】
0003139622.tif 000003
【図２】
0003139622.tif 000004
【図３】
0003139622.tif 000005
【図４】
0003139622.tif 000006